(57)【要約】      （修正有） 【課題】軽量であると共に、不燃性、耐火性、断熱性を備え、廃棄に際して二酸化炭素の実質的な排出量が少ないパネル材であって、複数のパネル材を容易に係合することができ、施工作業における負担や作業時間を低減することが出来るパネル材を提供する。【解決手段】平板状の金属パネル１１と、金属パネルの少なくとも一方の面の全域に接合されると共に、紙、澱粉、及びポリプロピレンを原材料として水蒸気発泡を施して形成された発泡材料からなる断熱パネル１２と、断熱パネルの金属パネルと接合された面と反対側の面に接合された不燃材料からなる化粧パネル１３とを備えるパネル材１０であって、パネル材の一側面における長さ方向一端部において、金属パネル、断熱パネル及び化粧パネルの其々の一端部が凹凸形状を形成するように段差が設けられている。【選択図】図１
0003195057.tif 000002
【実用新案登録請求の範囲】
【請求項１】
平板状の金属パネルと、上記金属パネルの少なくとも一方の面の全域に接合されると共に、紙、澱粉、及びポリプロピレンを原材料として水蒸気発泡を施して形成された発泡材料からなる断熱パネルと、前断熱パネルの上記金属パネルと接合された面と反対側の面に接合された不燃材料からなる化粧パネルとを備えるパネル材であって、
上記パネル材の端部には他のパネル材との接合端部が形成されており、互いに対向する接合端部は相互に係合しうる段部により構成されていることを特徴とするパネル材。
【請求項２】
上記段部は、互いに面方向に突出又は後退して配置された上記金属パネル、上記断熱パネル及び上記化粧パネルの端部により形成されていることを特徴とする請求項１に記載のパネル材。
【請求項３】
上記パネル材は方形状に形成され、上記接合端部は対向する辺部に設けられていることを特徴とする請求項１または２の何れか１項に記載のパネル材。
【請求項４】
上記金属パネルは、アルミニウム製又は鉄製であると共に、少なくとも１ｍｍの厚さ寸法を備えることを特徴とする請求項１〜３の何れか１項に記載のパネル材。
【請求項５】
上記断熱パネルを形成する発泡材料は、紙及び澱粉の質量が全体の５０％以上を占めることを特徴とする請求項１〜４の何れか１項に記載のパネル材。 
【考案の詳細な説明】
【技術分野】
【０００１】
本考案は、軽量であり、良好な不燃性、断熱性及び廃棄性、施工性を備えたパネル材に関する。
【背景技術】
【０００２】
一般に、住宅等の建築物の壁面部を含む面材として石膏ボードが広く使用されてきている。このような石膏ボードは、石膏を主成分とした素材を板状にして、特殊な板紙で包装して構成されている。その結果、安価であると共も非常に丈夫であり、耐火性、断熱性、遮音性に富む。
【０００３】
しかしながら、このような従来の石膏ボードは、所定の重量があることから、例えば、壁材として構成した場合には全体の重量が大きくなり、搬送時又は施工現場において取り扱いが不便である、という不具合が存していた。
【０００４】
上記のような課題を解決する発明として、特許文献１のように発泡材を用いたパネル材が提案されているが、特許文献１に係るパネル材は、合成樹脂材料を主成分とする発泡材を使用するため、製造にフロンを使用したり、廃棄に多くの二酸化炭素を排出することから環境保全の観点からは好ましいものではなかった。
【０００５】
そこで、本考案者は、特許文献２のように、環境に配慮した発泡材を用いることにより、軽量であると共に、不燃性、断熱性を備え、製造に際してフロンや化学発泡材を使用せず、廃棄に際して二酸化炭素の実質的な排出量が少ないパネル材を既に提案している。
【０００６】
しかしながら、上記特許文献２の発明においては、複数のパネル材を接続することにより、例えば、パーティションを形成するといった施工において、パネル材同士を簡単に係合できるようには構成されていない。
施工現場においては、簡単に係合することができ、施工作業における負担や作業時間を低減しうるパネル材が望まれていた。
【特許文献１】公開特許第２００４−１００２２８号公報
【特許文献２】登録実用新案第３１９３０６３号公報
【考案の開示】
【考案が解決しようとする課題】
【０００７】
そこで、本考案は、このような従来の要請に基づくものであって、軽量であると共に、不燃性、耐火性、断熱性を備え、廃棄に際して二酸化炭素の実質的な排出量が少ないパネル材であって、複数のパネル材を容易に係合することができ、施工作業における負担や作業時間を低減することが出来るパネル材を提供することを課題とする。
【課題を解決するための手段】
【０００８】
上記課題を解決する請求項１に記載の考案は、平板状の金属パネルと、上記金属パネルの少なくとも一方の面の全域に接合されると共に、紙、澱粉、及びポリプロピレンを原材料として水蒸気発泡を施して形成された発泡材料からなる断熱パネルと、前断熱パネルの上記金属パネルと接合された面と反対側の面に接合された不燃材料からなる化粧パネルとを備えるパネル材であって、上記パネル材の端部には他のパネル材との接合端部が形成されており、互いに対向する接合端部は相互に係合しうる段部により構成されていることを特徴とする。
【０００９】
本考案に係るパネル材によれば、断熱パネルを、紙、澱粉、ポリプロピレンを原材料として水蒸気発泡を施して形成された発泡材料で形成しているので、軽量で断熱性があり、リサイクル使用が可能である。また、金属パネルと不燃材料からなる化粧パネルを使用しているので不燃性を有する。
上記パネル材の端部には他のパネル材との接合端部が形成されており、互いに対向する接合端部は相互に係合しうる段部により構成されていることから、段部を係合させることにより、上記パネル材と他のパネル材とを延設することが出来る。
【００１０】
同じく請求項２に記載の考案は、請求項１に記載のパネル材において、上記段部は、互いに面方向に突出又は後退して配置された上記金属パネル、上記断熱パネル及び上記化粧パネルの端部により形成されていることを特徴とする。
【００１１】
本考案に係るパネル材によれば、上記段部は、上記金属パネル、上記断熱パネル及び上記化粧パネルの端部が一致しないように配置することにより形成される。
【００１２】
同じく請求項３に記載の考案は、請求項１または２の何れか１項に記載のパネル材において、上記パネル材は方形状に形成され、上記接合端部は対向する辺部に設けられていることを特徴とする。
【００１３】
本考案に係るパネル材によれば、上記パネル材は方形状に形成され、上記接合端部は対向する辺部に設けられていることにより、上記パネル材を複数枚用意することにより、上記接合端部を有する方向に複数枚のパネル材を係合して延設することが出来る。
【００１４】
同じく請求項４に記載の考案は、請求項１〜３の何れか１項に記載のパネル材において、上記金属パネルは、アルミニウム製又は鉄製であると共に、少なくとも１ｍｍの厚さ寸法を備えることを特徴とする。
【００１５】
本考案に係るパネル材によれば、パネル材にはアルミニウム製、又は鉄製の金属パネルを備えるので、難燃性、不燃性に優れたものと出来る。また、アルミニウム製は鉄製よりも比重が小さいため軽量である。金属パネルの厚さ寸法を１ｍｍ以上としたので、パネル材の剛性を確保することが出来る。
【００１６】
同じく請求項５に記載の考案は、請求項１〜４の何れか１項に記載のパネル材において、上記断熱パネルを形成する発泡材料は、紙及び澱粉の質量が全体の５０％以上を占めることを特徴とする。
【００１７】
本考案に係るパネル材によれば、発泡材料は紙及び澱粉といった天然物を多く含み、これに伴い合成樹脂の使用量は低減されるため、二酸化炭素の実質排出量を少ないものと出来る。
【考案の効果】
【００１８】
請求項１及び２の記載に係るパネル材によれば、軽量であると共に、不燃性、耐火性、断熱性を備え、且つ廃棄に際して二酸化炭素の実質的な排出量を抑制することが出来る。
【００１９】
また、上記パネル材の端部には他のパネル材との接合端部が形成されており、互いに対向する接合端部は相互に係合しうる段部により構成されていることから、上記段部に適合する凹凸を有する他のパネル材を係合させることが出来る。従って、係合のための他の部材を必要とせず、上記段部を利用して容易に係合して延設することが出来るため、例えばパーティションの施工作業における負担や作業時間を低減することが出来る。
【００２０】
請求項３の記載に係るパネル材によれば、上記パネル材は方形状に形成され、上記接合端部は対向する辺部に設けられていることから、上記接合端部を有する２つの方向へパネル材を係合して延設することが出来る。例えば、パーティション面或いは壁面の施工に上記パネル材を用いる際には、上下方向及び左右方向に上記パネル材を係合させて延設することが出来るため、施工現場に合せて組み上げることが出来る。
【００２１】
請求項４の記載に係るパネル材によれば、パネル材にはアルミニウム製、又は鉄製の金属パネルを備えるので、難燃性、不燃性に優れたものと出来る。また、金属パネルをアルミニウム製とした場合にはパネル材を軽量に出来る。金属パネルの厚さ寸法を１ｍｍ以上としたので、パネル材の剛性を確保することが出来るため、背丈の高いパーティションにも利用出来る。
【００２２】
請求項５の記載に係るパネル材によれば、発泡材料は紙及び澱粉といった天然物を多く含み、これに伴い合成樹脂の使用量は低減されるため、二酸化炭素の実質排出量を少ないものと出来る。従って、環境負荷の小さい製品を提供することが出来る。
【図面の簡単な説明】
【００２３】
【図１】図１は、本考案に係るパネル材の第一の実施の形態を示した斜視図である。
【図２】図２は、本考案に係るパネル材の第一の実施の形態を示し、図２（ａ）は、図１のパネル材のＡ−Ａ断面図であり、図２（ｂ）は、図１のパネル材２枚を、凸段差部と凹段差部において係合した様子を示した概念図である。
【図３】図３は、本考案に係るパネル材の第二の実施の形態を示した斜視図である。
【考案を実施するための最良の形態】
【００２４】
本考案に係るパネル材の第一の実施の形態について図面を参照して説明する。
【００２５】
図１及び図２（ａ）に示すように、本実施形態に係るパネル材１０は、芯材となる１枚の金属パネル１１と、金属パネル１１の両側面部に接合固定された２枚の断熱パネル１２、１２と、断熱パネル１２，１２の外側面部に其々接合固定された化粧パネルである２枚のメラミン化粧板１３、１３とからなる。金属パネル１１は、アルミニウム製の板材であり、例えば厚さ寸法は１ｍｍである。
【００２６】
なお、金属パネル１１は、アルミニウム製とする他、鉄製、その他の金属とすることができる。金属パネル１１の厚さ寸法は、パネル材１０の剛性を確保でき、かつ軽量化が図れる程度に設定する。
【００２７】
２枚の断熱パネル１２、１２は、金属パネル１１の両面の全域に接着剤で接合されている。断熱パネル１２は、紙、澱粉、ポリプロピレンを原材料として水蒸気発泡を施して形成された発泡材料で形成される。この発泡材料は、例えば産業廃棄古紙と、業務用澱粉及びポリプロピレンの混合物を水蒸気発泡で発泡形成したものである。断熱パネル１２は、このような発泡材料で形成されるので、断熱性、遮音性に優れる。
【００２８】
発泡材料は、紙、澱粉、ポリプロピレンの混合物を成形機内において高圧状態で加熱混合し、この混合物を成形機の金型出口から放出して製造する。高圧から低圧になったとき、高温になっている水が一気に気化して発泡することによって発泡材料が形成される。
【００２９】
このように、本実施形態に係るパネル材では、断熱パネルを構成する発泡材料の製造過程でフロンや化学発泡材を使用することがなく、またこの発泡材料は、リサイクル使用が可能である他、廃棄したとしても多くの二酸化炭素を排出したりすることがない。このため、製造、廃棄において環境を悪化させることが少ない。
【００３０】
発泡材料の原材料である、紙及び澱粉の質量は、全体の５０％以上を占めており、ポリプロピレンは５０％未満とすることが好ましい。これにより、発泡率を維持しつつ良好な成形性を保持できる。本実施形態に係る断熱パネル１２、１２を構成する発泡材料は、例えば、二酸化炭素排出量をイソブタン発泡ウレタンに比して約８０％、イソブタン発泡スチレンに比した約７０％削減できると期待される。
【００３１】
メラミン化粧板１３は、断熱パネル１２の外側、すなわち断熱パネル１２の両面のうち金属パネル１１が接合されない側に接着剤で接合される。メラミン化粧板１３は、不燃性であり、耐火性と美観に優れる。メラミン樹脂化粧パネルは、合板の表面にフェノール樹脂を染み込ませ紙を重ねて圧着し、メラミン樹脂を塗って形成したものである。張強度、硬度、耐衝撃性に優れており、表面が光沢を持ち耐水性、耐候性、耐磨耗性にも優れる。
【００３２】
図１及び図２（ｂ）に示すように、上記パネル材１０の端部１５には他のパネル材１４との接合端部１６が形成されており、互いに対向する接合端部１６，１６は相互に係合しうる段部１７，１７により構成されている。
【００３３】
本実施の形態にあっては、上記パネル材１０は長方形状に形成され、上記接合端部１６，１６は長さ方向において対向する辺部１８，１８に設けられている。
【００３４】
上記段部１７，１７は、互いに面方向に突出又は後退して配置された上記金属パネル１１、上記断熱パネル１２，１２及び上記メラミン化粧板１３，１３の端部により形成されている。図１に示すように、上記金属パネル１１、上記断熱パネル１２，１２及び上記メラミン化粧板１３，１３は、平面視において、同一の長さ寸法、幅寸法にて形成されており、厚さ寸法は上記メラミン化粧板１３、上記金属パネル１１、上記断熱パネル１２の順に厚肉に形成されている。
【００３５】
上記段部１７，１７は、上記金属パネル１１、上記断熱パネル１２，１２及び上記メラミン化粧板１３，１３を上記パネル材１０の長さ方向にずらして配置して接着固定することにより形成されている。
【００３６】
図２（ａ）に示すように、上記メラミン化粧板端部２１，２１よりも上記断熱パネル端部２２，２２は突出して配置され、上記断熱パネル端部２２，２２よりも上記金属パネル端部２３は突出して配置されることにより、凸段差部１９が形成されている。
【００３７】
さらに、上記凸段差部１９に長さ方向において対向する辺部１８においては、上記断熱パネル他端部２４，２４は、上記メラミン化粧板他端部２５，２５よりも後退して配置され、上記金属パネル他端部２６は、上記断熱パネル他端部２４，２４よりも後退して配置されることにより、凹段差部２０が形成されている。
【００３８】
以上のような構成とすることにより、上記凸段差部１９と上記凹段差部２０は、互いに係合しうる形状を有する。図２（ｂ）に示すように、例えば、上記パネル材１０と、上記パネル材１０と同様の形状を有する他のパネル材１４を用意して、上記パネル材１０の凸段差部１９と他のパネル材１４の凹段差部２０とを係合させて延設することが出来る。
【００３９】
本考案に係るパネル材の第二の実施の形態について図面を参照して説明する。なお、同一部材については、同一の符号を付して説明を省略する。
第二の実施の形態におけるパネル材４０は、第一の実施の形態と同様の構成に付加して、以下の構成を有している。
【００４０】
図３に示すように、第二の実施の形態に係るパネル材４０は、全体が長方形状に形成されており、上記金属パネル１１、上記断熱パネル１２，１２及び上記メラミン化粧板１３，１３は、平面視において、同一の長さ寸法、幅寸法にて形成されている点は、第一の実施の形態と同じである。
【００４１】
上記金属パネル１１、上記断熱パネル１２，１２及び上記メラミン化粧板１３，１３は、其々、上記金属パネル１１、上記断熱パネル１２，１２及び上記メラミン化粧板１３の対角線Ｘ方向へ所定間隔分ずらして配置されている。
【００４２】
その結果、図３に示すように、本実施の形態にあっては、第一の実施の形態とは異なり、上記パネル材４０の長さ方向両端部及び幅方向両端部に上記接合端部１６が形成されている。互いに対向する接合端部１６，１６は相互に係合しうる幅方向段部２９により構成されている。
【００４３】
上記幅方向段部２９は、一方で、上記メラミン化粧板幅方向端部３０，３０よりも上記断熱パネル幅方向端部３１，３１は突出して配置され、上記断熱パネル幅方向端部３１，３１よりも上記金属パネル幅方向端部３２は突出して配置されて、幅方向凸段差部３３を形成している。
【００４４】
他方で、上記幅方向凸段差部３３に幅方向において対向する辺部１８においては、上記断熱パネル幅方向他端部３４，３４は、上記メラミン化粧板幅方向他端部３５，３５よりも後退して配置され、上記金属パネル他端部３６は、上記断熱パネル幅方向他端部３４，３４よりも後退して配置されて、幅方向凹段差部３７を形成している。
【００４５】
その結果、上記パネル材４０の長さ方向両端部には、其々、上記凸段差部１９及び上記凹段差部２０が形成されると共に、幅方向両端部には、其々、上記幅方向凸段差部３３と上記幅方向凹段差部３７が形成されている。
【００４６】
従って、例えば、上記パネル材４０と、上記パネル材４０と同様の形状を有する他のパネル材を複数枚用意して、上記パネル材４０の長さ方向において、凸段差部１９と他のパネル材の凹段差部２０とを係合させて延設することが出来る。
【００４７】
また、上記パネル材４０の幅方向において、幅方向凸段差部３３と、もう一枚の他のパネル材の幅方向凹段差部３７を係合させて延設することにより、上記パネル材４０の長さ方向及び幅方向の両方向に延設することが出来る。
【００４８】
なお、メラミン樹脂化粧パネルに代えて、他の素材からなる化粧パネルを使用することができる。また、上記例では、金属パネル１１の両面に断熱パネル１２、１２及びメラミン化粧板１３、１３を配置した例を説明したが、金属パネル１１の一方の面に断熱パネル１２、及びメラミン化粧板１３、１３を配置してパネル材１０，４０を構成することができる。
【００４９】
以上説明したように、本考案の実施形態に係るパネル材によれば、断熱パネルを、紙、澱粉、ポリプロピレンを原材料として水蒸気発泡を施して形成された発泡材料で形成しているので、製造にフロンや化学発泡材を使用しない。また発泡材料は、リサイクル使用が可能であり、廃棄したとしても多くの二酸化炭素を排出することがない。
【００５０】
さらに、金属パネルとメラミン樹脂化粧パネルを使用しているので優れた難燃性、不燃性を有する。また、断熱パネルを発泡材料で構成しているので、断熱性の他遮音性を発揮できると共にパネル部材全体を軽量にできる。
本実施の形態に係るパネル材１０，４０は、例えば、室内のパーティションや、壁面パネル材等、屋内において使用される、耐火性、遮音性を必要とする各種パネル材として多用途に使用することができる。
【産業上の利用可能性】
【００５１】
本考案に係るパネル材は、屋内のパーティション、壁面パネル材として利用できる他、広く他の用途の建材として利用可能である。
【符号の説明】
【００５２】
１０：パネル材
１１：金属パネル
１２：断熱パネル
１３：メラミン化粧板（化粧パネル）
１４：他のパネル材
１５：端部
１６：接合端部
１７：段部
１８：辺部
１９：凸段差部
２０：凹段差部
２１：メラミン化粧板端部
２２：断熱パネル端部
２３：金属パネル端部
２４：断熱パネル他端部
２５：メラミン化粧板他端部
２６：金属パネル他端部
２９：幅方向段部
３０：メラミン化粧板幅方向端部
３１：断熱パネル幅方向端部
３２：金属パネル幅方向端部
３３：幅方向凸段差部
３４：断熱パネル幅方向他端部
３５：メラミン化粧板幅方向他端部
３６：金属パネル他端部
３７：幅方向凹段差部
４０：パネル材 
【図１】
0003195057.tif 000003
【図２】
0003195057.tif 000004
【図３】
0003195057.tif 000005